(57)【要約】      （修正有）【課題】軽量な発泡プラスチック製板からなる航空機型の凧を提供する。【解決手段】発泡スチロールなどの軽量発泡プラスチック製の板からなり、中央上部に迎え角に相当する角度を持って切欠き部を形成した胴体部２と、該切欠き部に嵌入する主翼部７と尾翼部８とを一体に形成した水平翼部３と、該水平翼部の尾翼部上部に所定の間隔で平行に取り付けられる一対の垂直翼部４とから構成される。また、この凧１の加工には型抜き以外にもカッターナイフ、糸鋸などが採用される。【選択図】図１
0003135260.tif 000002
【実用新案登録請求の範囲】
【請求項１】
発泡プラスチック製板からなり、中央上部に迎え角に相当する角度を持って切欠き部を形成した胴体部と、該切欠き部に嵌入する主翼部と尾翼部とを一体に形成した水平翼部と、該水平翼部の尾翼部上部に所定の間隔で平行に取り付けられる一対の垂直翼部とから構成されることを特徴とする凧。
【考案の詳細な説明】
【技術分野】
【０００１】
本考案は、軽量な発泡プラスチック製板からなる航空機型の凧に関するものである。
【背景技術】
【０００２】
従来より、発泡プラスチックを素材として各種の凧が知られている。例えば、鳥等の胴体部を三次元形状に立体的に成形してこの胴体に一対の翼を差込んだ鳥型の凧があった。
【０００３】
しかしながら、素材が軽量な発泡プラスチックであっても、三次元形状に成形された胴体部を持った上記の凧の場合、空気抵抗が大きく、飛行の際の安定性に欠けるものであった。また、成形に多大の経費を必要とし、高価なものであった。
【０００４】
そこで、軽量発泡プラスチック板から打抜き形成された扁平な胴体形成板と、軽量発泡プラスチック板から打抜き形成され胴体形成板の背側板厚縁にその板面が上下に向くように取付けられた上背板及び下背板と、両背板間にその基端部を着脱可能に差込まれた左右一対の翼板とを備えた凧が提案されている（特許文献１参照。）。
【０００５】
また、凧本体に、頭部、主翼の翼端及び尾翼を取り付ける凧において、頭部、主翼の翼端及び尾翼を予め複数種類用意しておき、これらを選択して取り付けるように構成した凧もある（特許文献２参照。）。
【０００６】
【特許文献１】特開平８−１２６７７３号公報
【特許文献２】特開２００６−２９６７６５号公報
【考案の開示】
【考案が解決しようとする課題】
【０００７】
しかし、上記の特許文献１に記載されている凧は、軽量発泡プラスチック板を使用して複数の部材を組み合わせて立体的な鳥型凧を形成するものであり、軽量化と立体感が得られるという特徴があるが、凧の飛行特性に関しては、何らの工夫も無いものであった。
【０００８】
また、上記の特許文献２に記載されている技術は、凧の本体に対して頭部、主翼の翼端及び尾翼を予め複数種類用意して、各種の異なるデザインの凧を構成できるものであるが、多種の翼端及び尾翼などの部品を予め用意する必要があると同時に、形状に合わせた型が多数必要となるという問題点がある。
【０００９】
本考案は、上記問題点に鑑みなされたものであり、発泡プラスチック製板を使用して簡単な作業で組立てが可能であるため安価で、しかも飛行特性の優れた航空機型の凧を提供することを目的とするものである。
【課題を解決するための手段】
【００１０】
このため本考案の凧は、発泡プラスチック製板からなり、中央上部に迎え角に相当する角度を持って切欠き部を形成した胴体部と、該切欠き部に嵌入する主翼部と尾翼部とを一体に形成した水平翼部と、該水平翼部の尾翼部上部に所定の間隔で平行に取り付けられる一対の垂直翼部とから構成されることを第１の特徴とする。
【００１１】
この凧の材質は、軽量の発泡プラスチックから構成されており、各種の抜き型による抜き加工や糸鋸などによって形成され、接着剤などによって容易に組み立てられる。
【考案の効果】
【００１２】
本考案の凧は、以上のように構成されているので次のような優れた効果を有する。
（１）発泡プラスチック製板を使用しているため、軽量であると同時に、型抜きやカッターナイフ、糸鋸などによって容易に加工ができるという効果がある。
（２）胴体部の中央上部に迎え角に相当する角度を持って切欠き部が形成されており、この切欠き部に嵌入する水平翼部によって凧の上昇性能が向上するという効果がある。
（３）水平翼部は主翼部と尾翼部とを一体に形成され、さらに一対の垂直翼部が水平翼部の尾翼部の上部に所定の間隔で平行に取り付けられており、凧の飛行中の姿勢が安定するという優れた効果がある。
【考案を実施するための最良の形態】
【００１３】
以下、本考案の実施の形態を、図面に示す実施例に基づいて説明するが、本考案が本実施例に限定されないことは言うまでもない。図１は本考案に係る凧の一実施例を示す斜視図、図２は本考案に係る凧の各部品を示す平面図である。
【実施例】
【００１４】
図１に示すように、本考案の凧１は、発泡スチロール等の発泡プラスチックからなる板材から、胴体部２、水平翼部３、垂直尾翼部４とを切り出し、胴体部２に形成された切欠き部５に水平翼部３を嵌入し、さらに水平翼部３の後端上部に二枚の垂直尾翼部４を取り付けて構成されている。
【００１５】
図２は本考案に係る凧の各部品を示す平面図であり、図２（ａ）は胴体部を示す平面図、図２（ｂ）は水平翼部を示す平面図、図２（ｃ）は垂直尾翼部を示す平面図である。図に示すように胴体部２は発泡プラスチック製の板材を、飛行機の胴体に相当する形状に扁平に切抜かれており、さらに略中央上部には、飛行機の翼の迎え角に相当する角度で切欠き部５が形成されている。尚、胴体部２の形成はカッターナイフなどによる切り抜きでもよく、また専用の型による打ち抜きでも良い。
【００１６】
水平翼部３は幅広の本体部６と、本体部６の略中央に形成された主翼部７と、後部に形成された尾翼部８とが上述した胴体部２と同様に発泡プラスチック製の板材を切り抜いて一体に形成されている。そして、上記の胴体部２に形成された切欠き部５に本体部６から嵌入して、迎え角付きの水平翼部が形成される。
【００１７】
次に、略台形状の二枚の垂直尾翼部４も上記の胴体部２及び水平翼部３と同様に発泡プラスチック製の板材を切り抜いてそれぞれ形成され、上述した尾翼部８の上部に平行して取付けられる。この際、垂直尾翼部４は尾翼部８に対して垂直に取り付けられる必要はなく、任意の同一角度でそれぞれ取付けてもかまわない。また、取付ける際には尾翼部８に切込みや係合用の孔部を形成して、接着剤によって一体に取付けてもよい。
【００１８】
上記の構成からなる本考案の凧１を使用して凧揚げを行なう場合には、胴体部２の中央下部の任意位置に孔部を形成して凧糸を取り付けることで凧揚げが可能となる。この際、従来の凧のように糸目を複数使用せず、しかも予め水平翼部を迎い角で取付けてあるため、凧が略垂直に揚がり、さらに釣用の竿などを使用することによってさまざまな曲芸飛行も楽しむことが可能できる。
【００１９】
以上、本考案による凧によれば、発泡プラスチック製板を使用しているため軽量であり、加工も容易であるため安価である。しかも、胴体部の中央上部に迎え角に相当する角度で水平翼部が取付けられているため、飛行特性の優れた航空機型の凧を提供することができる。
【図面の簡単な説明】
【００２０】
【図１】本考案に係る凧の一実施例を示す斜視図である。
【図２】本考案に係る凧の各部品を示す平面図である。
【符号の説明】
【００２１】
１          凧
２          胴体部
３          水平翼部
４          垂直尾翼部
５          切欠き部
６          本体部
７          主翼部
８          尾翼部
【図１】
0003135260.tif 000003
【図２】
0003135260.tif 000004